(57)【要約】【課題】蓄光膜を利用した灯具の疑似点灯時に灯具の配光特性を低下することがなく外観上の意匠性を高めた車両用灯具を提供する。【解決手段】光源（ＬＥＤ）２６とリフレクタ２２を有するランプユニット２に、光を蓄光しかつ発光する蓄光膜２７が配設される。ランプユニット２の消灯時に蓄光膜２７で発光した光をリフレクタ部２３の反射面２５で反射させることによりランプユニット２の疑似点灯を行う。蓄光膜２７は、複数の異なる発光色の蓄光膜、発光輝度分布が不均一な蓄光膜、発光面が平滑でない蓄光膜、発光面が所要の模様をした蓄光膜の少なくとも１つの蓄光膜で構成される。【選択図】  図３
2015149157.tif 000002
【特許請求の範囲】
【請求項１】
ランプユニットを備える車両用灯具であって、前記ランプユニットには蓄光した光を発光する蓄光膜が配設されており、前記蓄光膜は、複数の異なる発光色の蓄光膜、発光輝度分布が不均一な蓄光膜、発光面が平滑でない蓄光膜、発光面が所要の模様をした蓄光膜の少なくとも１つの蓄光膜で構成されていることを特徴とする車両用灯具。
【請求項２】
ランプハウジング内にランプユニットを内装した車両用灯具であって、前記ランプハウジングと前記ランプユニットの少なくとも一部に蓄光した光を発光する蓄光膜が配設されており、前記蓄光膜は、複数の異なる発光色の蓄光膜、発光輝度分布が不均一な蓄光膜、発光面が平滑でない蓄光膜、発光面が所要の模様をした蓄光膜の少なくとも１つの蓄光膜で構成されていることを特徴とする車両用灯具。
【請求項３】
前記蓄光膜は前記ランプユニットにより形成される配光を阻害しない位置に配設されていることを特徴とする請求項１または２に記載の車両用灯具。
【請求項４】
前記蓄光膜は前記ランプユニットの光源位置または光源と等価な位置、あるいはこれらの位置の近傍に配設されていることを特徴とする請求項３に記載の車両用灯具。
【請求項５】
前記ランプユニットはリフレクタ型のランプユニットであり、前記蓄光膜は当該ランプユニットの光源近傍位置に配設されていることを特徴とする請求項３または４に記載の車両用灯具。
【請求項６】
前記ランプユニットはプロジェクタ型のランプユニットであり、前記蓄光膜は当該ランプユニットに設けられているシェードの前面に配設されていることを特徴とする請求項３または４に記載の車両用灯具。
【発明の詳細な説明】
【技術分野】
【０００１】
本発明は自動車等の車両両灯具に関し、特に蓄光を利用して灯具の疑似点灯を行う車両用灯具に関するものである。
【背景技術】
【０００２】
自動車の前照灯や標識灯の一部に蓄光材を塗布し、この蓄光材に蓄光した光を利用して疑似点灯（ここでは当該灯具があたかも点灯しているような外観を呈する状態を言う）を行うようにした技術が提案されている。特許文献１はＬＥＤ（発光ダイオード）を光源とするランプのリフレクタを透明部材で形成し、この透明部材に蓄光材を含有させており、ＬＥＤの発光時に蓄光材に蓄光を行い、ＬＥＤの非発光時に蓄光材で発光した光で疑似点灯を行っている。また、特許文献２では、光源、レンズ、反射鏡、エクステンション等の灯具構成部材で配光を阻害しない部位に蓄光材を塗布したランプが提案されており、点灯時に光源から出射する光や外部からの太陽光等を蓄光材において蓄光し、非点灯時に蓄光材で発光した光を利用してランプの疑似点灯を行っている。
【先行技術文献】
【特許文献】
【０００３】
【特許文献１】特開２０１０−２２５３９７号公報
【特許文献２】特開２００７−１４９４３５号公報
【発明の概要】
【発明が解決しようとする課題】
【０００４】
特許文献１の技術は、透明なリフレクタに蓄光材を含有させているため、リフレクタでの反射効率が低下して照明効果が低下することは否定できない。一方、特許文献２の技術は、蓄光材は灯具が点灯したときの配光を阻害することがない部位に形成されているので、配光特性が低下することは防止できるが、それだけ蓄光材を塗布する領域が限定されて蓄光材の発光面が小さくなり、蓄光材による疑似点灯の効果が低下される。また、特許文献１，２はいずれも単一色で発光する蓄光材を単純に塗布した構成であるので、発光したときには均一な単純色の発光面としての外観を呈するのみであり、意匠性に乏しいという問題もある。
リフレクタ
【０００５】
本発明の目的は、疑似点灯時における外観上の意匠性を高めた車両用灯具を提供するものである。また、本発明の他の目的は、灯具の配光特性を低下することなく意匠性を高め、さらには外観上の発光面積を大きくして疑似点灯の視認性を高めた車両用灯具を提供するものである。
【課題を解決するための手段】
【０００６】
本発明は、車両用灯具を構成するランプユニットに、光を蓄光しかつ発光する蓄光膜が配設されており、当該蓄光膜は、複数の異なる発光色の蓄光膜、発光輝度分布が不均一な蓄光膜、発光面が平滑でない蓄光膜、発光面が所要の模様をした蓄光膜の少なくとも１つの蓄光膜で構成されていることを特徴とする。
【０００７】
また、本発明は、ランプハウジング内にランプユニットを内装した車両用灯具であって、ランプハウジングとランプユニットの少なくとも一部に光を蓄光しかつ発光する蓄光膜が配設されており、当該蓄光膜は、複数の異なる発光色の蓄光膜、発光輝度分布が不均一な蓄光膜、発光面が平滑でない蓄光膜、発光面が所要の模様をした蓄光膜の少なくとも１つの蓄光膜で構成されていることを特徴とする。
【０００８】
本発明において、ランプユニットに配設される蓄光膜は、当該ランプユニットにより形成される配光を阻害しない位置に配設される。さらに、蓄光膜は当該ランプユニットの光源位置または光源と等価な位置、あるいはこれらの位置の近傍に配設されることが好ましい。例えば、ランプユニットがリフレクタ型のランプユニットの場合には、蓄光膜は当該ランプユニットの光源近傍位置に配設され、ランプユニットがプロジェクタ型のランプユニットの場合には、蓄光膜は当該ランプユニットに設けられているシェードの前面に配設される。
【発明の効果】
【０００９】
本発明によれば、ランプユニットに配設された蓄光膜は、複数の異なる発光色の蓄光膜、発光輝度分布が不均一な蓄光膜、発光面が平滑でない蓄光膜、発光面が所要の模様をした蓄光膜の少なくとも１つの蓄光膜で構成されているので、ランプユニットが疑似点灯とされた状態のときには、蓄光膜の発光面は、異なる色光で発光した状態、不均一な発光輝度で発光した状態、発光面の面積が相違しているように観察される状態、発光面が所要の模様で発光した状態のいずれか、またはこれらの組み合わせとなる。これにより、同一色でかつ均等な発光輝度ないし発光模様が存在しない蓄光膜を備えるランプに比較して疑似点灯の意匠的な効果を高めることが可能になる。蓄光膜がランプハウジングの一部に配設された場合でも同じである。
【００１０】
また、本発明においては、蓄光膜はランプユニットによる配光を阻害しない位置に配設されるので、灯具の配光特性が低下されることはない。さらに、蓄光膜はランプユニットの光源位置または光源と等価な位置、あるいはこれらの位置の近傍に配設されるので、光源から出射された光が照射される領域とほぼ同等な領域に向けて蓄光膜から発光された光が出射されることになり、外観上での蓄光材の発光面積を大きくして疑似点灯時における視認性を高めることができる。
【図面の簡単な説明】
【００１１】
【図１】実施形態１にかかるランプの一部を破断した正面図。
【図２】図１のＩＩ−ＩＩ線に沿った縦断面図。
【図３】ランプユニットの分解斜視図。
【図４】図２に示したランプユニットの拡大断面図。
【図５】実施形態２のランプユニットの縦断面図。
【図６】蓄光膜の各異なる例の断面図とその発光面の観察状態を示す図。
【図７】蓄光膜の各異なる模様の例を示す正面図。
【図８】蓄光膜の各異なる模様の例を示す断面図。
【発明を実施するための形態】
【００１２】
（実施形態１）
次に、本発明の実施の形態について図面を参照して説明する。図１は本発明の実施形態１の灯具の概略構成の一部を破断した正面図、図２は図１のＩＩ−ＩＩ線縦断面図である。この灯具は自動車のヘッドランプＨＬとして構成されており、図には示されない自動車の車体前部の左右に配設される。左右のヘッドランプは、左右対称に形成されているが断面構造はほぼ同じである。図１および図２は左ヘッドランプの例であり、ランプボディ１１の前面開口に透明カバー１２が取着された構成のランプハウジング１内にリフレクタ型のランプユニット２が内装されており、このランプユニット２が点灯されることによりヘッドランプＨＬが点灯状態となる。また、ランプハウジング１内にはランプユニット２の周囲領域を覆い隠すためのエクステンション１３が内装されている。
【００１３】
前記ランプユニット２は、図３に概略の分解斜視図を示すように、ほぼ水平方向に延在されるベース板２１と、このベース板２１の下面に一体的に取着されたリフレクタ２２を備えている。前記リフレクタ２２は複数のリフレクタ部２３、ここでは５個のリフレクタ部２３ａ〜２３ｅが左右方向に並んで配列された構成である。前記リフレクタ部２３は前記ベース板２１の下面に取着される矩形枠板からなる取着部２４（２４ａ〜２４ｅ）と、この取着部２４からランプ前方かつランプ下方に向けて傾斜状態に延長された放物面形状の反射面２５（２５ａ〜２５ｅ）を有している。
【００１４】
図４は図２に示した前記ランプユニット２の拡大縦断面図である。前記ベース板２１の下面には、前記複数のリフレクタ部２３（図３の２３ａ〜２３ｅ）に対応した光源としてＬＥＤ２６（図３の２６ａ〜２６ｅ）が搭載されている。各ＬＥＤ２６は発光面が下方に向けられており、前記リフレクタ２２がベース板２１に取着されたときに前記取着部２４の枠内に配置される。各ＬＥＤ２６は給電されて発光されたときに前記ベース板２１の下方に向けて、すなわち前記反射面２５に向けて光を出射する。また、前記ベース板２１の下面には、前記複数のＬＥＤ２６にそれぞれ近接して５個の蓄光膜２７（２７ａ〜２７ｅ）が配設されている。これらの蓄光膜２７は円環状に形成した板材の表面に蓄光材を塗布した蓄光板として構成されており、その中心穴内にＬＥＤ２６が内装されるように位置決めした上で前記取着部２４の下面に接着剤等によって貼付されている。この蓄光膜の詳細については後述する。
【００１５】
前記複数のリフレクタ部２３の各反射面２５は対応するＬＥＤ２６を焦点とする放物面に形成されており、後述するようにＬＥＤ２６から出射された光をランプ前方に向けて反射する。各リフレクタ部２３の反射面２５は、基本的にはほぼ同じ形状に設計されるが、ランプユニット２に要求される所要の配光を形成するために個々の反射面２５のサイズや形状は一部相違されている。そして、図示は省略するが、各リフレクタ部２３の反射面２５においてランプ前方に向けて反射されたＬＥＤ２６の光は、ランプの前方領域において互いに重畳され、自動車の前方の所要領域を照明する配光が得られるようになっている。
【００１６】
前記蓄光膜２７は、前記したように中心穴を有する概ね円環状をした板材の表面に所定の色光を蓄光ないし発光する蓄光材が塗布された蓄光板として形成されており、この蓄光板２７の裏面が前記取着部２４の下面に接着されることで蓄光面、すなわち発光面は下方に向けられている。また、蓄光板２７の中心穴内に前記ＬＥＤ２６を配置するようにして接着されており、環状をした蓄光板２７はＬＥＤ２６の周囲に延在されることになる。この蓄光板２７に用いる蓄光材については既に種々のものが提案されているので、車両用灯具に用いたときの耐久性等を考慮して好適な蓄光材を選択することができる。その上で、各リフレクタ部２３に設けられた複数の蓄光板２７は発光色が異なる５種類の蓄光材が選定されている。ここでは前記５個の蓄光板２７ａ〜２７ｅは、この順序でイエローグリーン色、ブルー色、パープル色、レッド色、イエロー色の各蓄光材が設定されている。
【００１７】
この実施形態１のランプユニット２によれば、ヘッドランプＨＬの点灯時、すなわちランプユニット２の点灯時には、図４に実線で示すように、発光された各ＬＥＤ２６から下方に向けて出射された光はそれぞれ対応するリフレクタ部２３の反射面２５において前方に向けて反射され、ランプハウジング１の透明カバー１２を透過して自動車の前方領域に照射される。複数のリフレクタ部２３で反射された光が重畳して所要の配光が得られることは前記した通りである。また、このとき当該配光のための光が蓄光板２７によって遮光あるいは減光されることがないので配光特性が低下されることはない。このランプユニット２の点灯時には、図４に破線で示すように、ＬＥＤ２６から出射された光の一部、あるいは反射面２５で反射された光の一部は各蓄光板２７に投射され、蓄光が行われる。
【００１８】
ランプユニット２が点灯状態から消灯されると、ＬＥＤ２６から出射されていた光による照明は終了されるが、点灯時に蓄光されていた蓄光板２７が発光され、その光は各リフレクタ部２３の反射面２５で反射されて前方に照射される。これにより、自動車の前方からヘッドランプＨＬを観察すると、図１に模式的に示すように、各リフレクタ部２３（２３ａ〜２３ｅ）の各反射面２５が明るく照明された状態となり、ランプユニット２があたかも点灯しているような外観となり、ヘッドランプＨＬが疑似点灯の状態となる。この疑似点灯により、自車の直前領域を視認することができるとともに、他車や歩行者から自車の存在が認識されるようになり、交通安全の面からも好ましい。
【００１９】
この疑似点灯では、各リフレクス部２３の各蓄光板２７はそれぞれの発光色、すなわちイエローグリーン色、ブルー色、パープル色、レッド色、イエロー色の各色光で発光する。したがって、ランプユニット２ないしヘッドランプＨＬをランプ前方から見たときには、図１に示した各リフレクタ部２３（２３ａ〜２３ｅ）の各反射面２５（２５ａ〜２５ｅ）はイエローグリーン色、ブルー色、パープル色、レッド色、イエロー色に着色された状態で観察されることになり、ランプユニット２の全体が色彩の豊かな発光状態となり、疑似点灯時におけるランプの意匠性が向上される。
【００２０】
また、実施形態１では、蓄光板２７はＬＥＤ２６に近接配置されているので、これら蓄光板２７は各リフレクタ部２３の反射面２５の焦点位置ないしその近傍位置に配設されていることになる。そのため、蓄光板２７で発光された光はＬＥＤ２６から出射された光と同様にリフレクタ部２３の反射面２５において前方に向けて反射される。これにより、蓄光板２７からの光はランプユニット２の点灯時と同様な配光で自動車の前方の広い領域に向けて照射されることになり、自動車の前方の広い領域からヘッドランプＨＬの疑似点灯の視認性を高めることが可能になる。
【００２１】
さらに、実施形態１は蓄光板２７がランプユニット２のベース板２１の下面側の位置に配設されており、この位置はヘッドランプＨＬの前方に露呈されることがないので、ヘッドランプＨＬの非点灯時に透明カバー１２を透して蓄光板２７が露呈されることが原因となるヘッドランプＨＬの外観上の見栄えが低下されることもない。
【００２２】
この実施形態１においては、前記エクステンション１３の表面に蓄光材を塗布する等して蓄光膜を形成してもよい。この場合においても、異なる発光色の蓄光材を適宜に区画して形成する。このようにすることで、ランプユニット２の点灯時に自動車の前方に向けて照射される光の一部は透明カバー１２において反射されてエクステンション１２の表面に投射されるので、当該表面に形成した塗布した蓄光膜において蓄光が行われる。したがって、ランプユニット２の消灯時には、エクステンション１３の表面からそれぞれの蓄光膜で発光した光が透明カバー１２を通して前方に照射されることになり、色彩の豊かな意匠性の高い疑似点灯が観察されることになる。
【００２３】
（実施形態２）
図５は本発明の実施形態２の車両用灯具の縦断面図である。実施形態１と同様に自動車のヘッドランプに適用しており、ここでは図示を省略したランプハウジング内に実施形態２のプロジェクタ型のランプユニット３が内装されている。このプロジェクタ型のランプユニット３は既に知られているので詳細な説明は省略するが、光源３１、リフレクタ３２、照射レンズ３３、シェード３４で構成されており、光源３１から出射された光をリフレクタ３２で反射して一旦集光し、シェード３４によって一部の光を遮光した上で、遮光されない光を照射レンズ３３を通して前方に所要の配光で照射するものである。
【００２４】
前記光源３１はＬＥＤで構成され、リフレクタ３２はこのＬＥＤ３１を第１焦点Ｆ１とする回転楕円面反射鏡で構成されている。また、前記照射レンズ３３の後側焦点は前記リフレクタの第２焦点Ｆ２にほぼ一致されており、この第２焦点Ｆ２、換言すれば前記後側焦点に近接して前記シェード３４が配設されている。このシェード３４は前記照射レンズ３３を前記リフレクタ３２に支持させるためのホルダ３５と一体に形成されており、配光に寄与しない周辺光を遮光するとともに、前記後側焦点よりも下側領域を通過して対向車を幻惑する光を遮光するために設けられている。そのため、シェード３４は前記リフレクタ３２の円形開口のうち、前記後側焦点よりも下側領域に沿って立設された概ね半円形をしたシェード板として構成されている。
【００２５】
前記シェード板３４の前面には蓄光材が塗布されており、この蓄光材によって蓄光膜３６が形成されている。この実施形態２では、蓄光材は所定の発光色を有する１種類の蓄光材が用いられており、この蓄光材は前記シェード板３４の前面に所要の形態で塗布されている。この塗布の形態として、ここでは複数の異なる形態のものが用意されており、これら複数の形態を任意に選択して適用することが可能とされている。ここでは一部の形態のみを説明するが、蓄光膜３６の表面が曲面、凹凸面に形成された非平面タイプと、蓄光膜が所望の模様（パターン）に形成された模様タイプが含まれる。
【００２６】
非平面タイプとして、ここでは蓄光膜の表面が凸状、凹状、凹凸状に形成されたものを説明する。図６は非平面タイプの蓄光膜３６の断面図であり、図５のシェード板３４と蓄光膜３６をＶＩ−ＶＩ線に沿って切断したときの模式的な断面図である。図６（ａ１）はシェード板３４の前面が凸状曲面に形成され、蓄光膜３６も表面が凸状曲面に形成されている。図６（ｂ１）はシェード板３４の前面が凹状曲面に形成され、蓄光膜３６も表面が凹状曲面に形成されている。図６（ｃ１）はシェード板３４の前面が例えば枡目状に区画された上で各区画が微細なテーパ状（三角状）の凹凸面に形成され、蓄光膜３６も表面が微細テーパ状凹凸面に形成されている。図６（ｄ１）はシェード板３４の前面が不規則な微細凹凸を有する粗面に形成され、蓄光膜３６も表面が微細凹凸面に形成されている。
【００２７】
また、模様タイプは、蓄光膜３６が所要の模様（パターン）に形成されたものである。図７は前記シェード板３４をランプ前方から見たときの蓄光膜３６の模様を示す図である。シェード板３４はランプ前方から見たときには概ね上弦の半円状をしており、図７（ａ）はこのシェード板３４の前面に蓄光材が縦縞状に塗布されて蓄光膜３６が形成されている。図７（ｂ）は蓄光材が横縞状に塗布されて蓄光膜３６が形成され、図７（ｃ）は蓄光材が下方に凸の円弧縞状に塗布されて蓄光膜３６が形成されている。
【００２８】
この実施形態２では、ランプユニット３の点灯時には、発光されたＬＥＤ３１から出射された光はリフレクタ３２により反射されて第２焦点Ｆ２に集光され、ここでシェード板３４により一部の光が遮光される。遮光されない光は拡散状態で照射レンズ３３に入射され、ここで屈折されながら透過され、自動車の前方領域に所要の配光で照射される。蓄光膜３６はシェード板３４の前面に配設されているので、蓄光膜３６が配光に影響を与えることはない。このとき、照射レンズ３３に入射される光の一部は当該照射レンズ３３で反射されてシェード板３４の前面、すなわち当該前面に形成されている蓄光膜３６に投射され、当該蓄光膜３６において蓄光が行われる。
【００２９】
ランプユニット３が点灯状態から消灯されると、ＬＥＤ３１から出射されていた光による照明は終了されるが、点灯時に蓄光されていた蓄光膜３６が発光され、その光は照射レンズ３３を透過されて前方に照射される。これにより、自動車の前方からこの照射光を観察することができ、ランプユニット３は疑似点灯の状態となる。このとき、蓄光膜３６の発光面は照射レンズ３３の前方から観察すると、上下が反転した発光面として観察される。
【００３０】
この疑似点灯時には、図６に示した非平面タイプの蓄光膜では、蓄光膜が平面に形成されている場合に比較すると、種々の形態での発光が行われることになる。図６（ａ１）の凸状曲面の蓄光膜では図６（ａ２）のように発光が拡散されて発光面が拡大される。図６（ｂ１）の凹状曲面の蓄光膜では図６（ｂ２）のように発光が集光されて狭い発光面であるが輝度の高い発光面とされる。図６（ｃ１）のテーパ状の凹凸面を枡目状に形成した蓄光膜では図６（ｃ２）のように枡目状に輝度の高低が配列された発光面とされる。図６（ｄ１）の粗面の蓄光膜では図６（ｄ２）のように輝度の高低がランダムに生じた発光面とされる。これにより、発光の輝度が均一な蓄光膜に比較して輝度分布が存在するアクセントのある発光面となり、疑似点灯時におけるランプユニット３の意匠的効果が高められる。
【００３１】
また、模様タイプの蓄光膜で発光した光は、図７の各図に示した模様を上下反転した発光面となる。図示は省略するが、図７（ａ）の縦縞状の蓄光膜では、当該縦縞に対応した縦縞模様で発光される。図７（ｂ）の横縞状の蓄光膜では、当該横縞に対応した横縞模様で発光される。図７（ｃ）の円弧縞状の蓄光膜では、当該円弧縞に対応した円弧縞模様で発光される。これにより、発光面の輝度が模様に従った輝度分布となり、アクセントのある発光面となり意匠的効果が高められる。
【００３２】
ここで、模様タイプの蓄光膜を形成する際には、単に蓄光材を模様状に塗布する構造に限られるものではなく、図８に断面を示すような構成を適用してもよい。図８は図６と同様箇所の断面図である。図８（ａ）はシェード板３４の前面に所要の模様の凹溝を形成し、この凹溝内に蓄光材を塗布しあるいは充填して蓄光膜３６を形成したものである。図８（ｂ）はシェード板３４の前面に均一に蓄光材を塗布して蓄光膜３６を形成しているが、この蓄光膜３６の表面に所要の模様の非透光材料のマスクを形成して模様を形成したものである。
【００３３】
また、発光面での発光輝度の分布が不均一とすることによって模様を形成することも可能である。すなわち、図８（ｃ）のように、シェード板３４の前面に塗布する蓄光材の膜厚を連続的に変化させて蓄光膜３６を形成した構成である。あるいは、図８（ｄ）のように、蓄光材の膜厚を段階的に変化させて蓄光膜３６を形成した構成である。あるいは、図示は省略するが蓄光膜の膜厚を変化させる代わりに、蓄光特性（単位面積当たりの蓄光量や発光量）が異なる蓄光材を並べた状態に塗布するようにしてもよい。このようにするとで、発光面の各部における蓄光量を相違させ、発光輝度を相違させ、グラデーションのある発光面が構成でき、疑似点灯時の意匠的効果を高めることができる。
【００３４】
また、実施形態２では、蓄光膜３６はシェード板３４の前面に形成されており、このシェード板３４はリフレクタ３２の第２焦点Ｆ２、換言すれば第１焦点Ｆ１に配置された光源としてのＬＥＤ３１と光学的に等価な位置に近接配置されている。そのため、蓄光膜３６で発光された光はＬＥＤ３１から出射された光と同様に照射レンズ３３によって自動車の前方の広い領域に向けて照射されることになる。これにより、自動車の前方の広い領域から疑似点灯の視認性を高めることが可能になる。
【００３５】
実施形態２の蓄光膜においても、実施形態１と同様に発光色が異なる蓄光材を組み合わせて所望の模様を形成することにより、疑似点灯時における発光色、発光輝度分布および発光模様を種々の形態として構成でき、さらなる意匠的な効果を高めることが可能になる。なお、実施形態２は蓄光膜３６が照射レンズ３３を通して外部から観察可能な位置に配設されているが、照射レンズ３３の前面での全反射によってランプの前方からは蓄光膜３６が見え難くなっているので、蓄光膜３６を形成することによるランプの非点灯時におけるランプの外観上の見栄えが低下されることは少ない。
【００３６】
本発明は、実施形態１，２の構成に限定されるものではない。例えば、実施形態１において、ランプユニットのベース板の下面に蓄光材を塗布して蓄光膜を形成してもよい。この場合、蓄光膜を所要の模様に形成し、模様化された発光をリフレクタ部で反射して疑似点灯するようにしてもよい。また、実施形態２において、予め蓄光材を塗布した蓄光板をシェードの前面に貼付してもよい。この場合、発光色が異なる蓄光材を塗布した複数の蓄光板を並べて配列してもよい。
【００３７】
本発明にかかる蓄光膜は、実施形態１，２の構成にかかわらず、ランプユニットを構成する他の光学部材に形成することも可能である。例えば、照射レンズの光透過面の一部やリフレクタの反射面の一部に蓄光膜を形成してもよい。この場合においても、蓄光膜を異なる発光色の蓄光膜で構成し、あるいは所望の模様に形成することにより本発明が達成できる。ただし、これらの場合にはランプユニットに要求される所定の配光が阻害されることがないように蓄光膜の形成領域やタイプを設定することが肝要である。さらに、光の透過性の高い蓄光材の場合には、レンズ面や光源を覆うように蓄光膜を形成することも可能である。
【００３８】
また、本発明における蓄光膜は、ランプの光源から出射される光を蓄光する場合のみならず、昼間時に太陽光を利用して蓄光する蓄光膜として構成してもよい。この場合には、ランプハウジングに内装されるエクステンションやランプユニットカバー等の構成部材の表面に蓄光膜を形成することができる。さらには、ランプハウジングの内面に蓄光膜を形成してもよい。
【産業上の利用可能性】
【００３９】
本発明はランプハウジングやランプユニットに疑似点灯を行うための蓄光材を配設する車両用ランプに採用することが可能である。
【符号の説明】
【００４０】
ＨＬ  ヘッドランプ（車両用灯具）
１  ランプハウジング
２  ランプユニット（実施形態１）
３  ランプユニット（実施形態２）
１１  ランプボディ
１２  透明カバー
１３  エクステンション
２１  ベース板
２２  リフレクタ
２３  リフレクタ部
２５  反射面
２６  光源（ＬＥＤ）
２７  蓄光板（蓄光膜）
３１  光源（ＬＥＤ）
３２  リフレクタ
３３  照射レンズ
３４  シェード（シェード板）
３６  蓄光膜
【図１】
2015149157.tif 000003
【図２】
2015149157.tif 000004
【図３】
2015149157.tif 000005
【図４】
2015149157.tif 000006
【図５】
2015149157.tif 000007
【図６】
2015149157.tif 000008
【図７】
2015149157.tif 000009
【図８】
2015149157.tif 000010